(57)【要約】【課題】トップオープン型の紙カートンであって、一度に全量を取り出す場合と一部を残して必要な分だけを取り出す場合との使い分けができる紙カートンを提供する。【解決手段】天面パネル１４から延設したフラップパネルを前面パネルと貼着し、内容物を収納後、前面パネル及び後面パネル１３にそれぞれ連設する各折込みフラップと天面パネル及び底面パネルにそれぞれ連設する各サイドパネル１７，１７とを貼着することにより箱状に組み立てられ、天面パネル及びフラップパネルには連続する複数の切れ刃からなる開封用の２筋の破断線が設けられ、フラップパネルの端部にはその２筋の破断線により開封部を形成し得るように摘み部を形成してなる紙カートンにおいて、後面パネル１３に天面パネル１４の２筋の破断線Ｌ2 にそれぞれ連続して２筋の破断線Ｌ3 ，Ｌ4 を底面パネルとのコーナーに至るまで設ける。【選択図】図２
2008290749.tif 000002
【特許請求の範囲】
【請求項１】
天面パネルから延設したフラップパネルを前面パネルと貼着し、内容物を収納後、前面パネル及び後面パネルにそれぞれ連設する各折込みフラップと天面パネル及び底面パネルにそれぞれ連設する各サイドパネルとを貼着することにより箱状に組み立てられ、天面パネル及びフラップパネルには連続する複数の切れ刃からなる開封用の２筋の破断線が設けられ、フラップパネルの端部にはその２筋の破断線により開封部を形成し得るように摘み部を形成してなる紙カートンにおいて、後面パネルに天面パネルの２筋の破断線にそれぞれ連続して２筋の破断線を底面パネルとのコーナーに至るまで設けたことを特徴とする紙カートン。
【請求項２】
後面パネルの破断線を上半の２筋の破断線と下半の２筋の破断線とで構成し、上半の２筋の破断線は、天面パネルから底面パネルに向かって狭まる向きで後面パネルの中程に至るまで形成し、下半の２筋の破断線は、上半の２筋の破断線にそれぞれ屈曲状態で連続してそれぞれコーナーに向かって広がる方向で形成したことを特徴とする請求項１に記載の紙カートン。
【請求項３】
上半の２筋の破断線と下半の２筋の破断線の屈曲点同士を結ぶようにして後面パネルの中程を横断する位置に折曲げ用の折線を形成したことを特徴とする請求項２に記載の紙カートン。
【発明の詳細な説明】
【技術分野】
【０００１】
本発明は、板紙製からなるカートンの技術分野に属し、詳しくは、直方体形状の板紙製容器であって、各種生活用品等の物品を収納して販売する際に好適に用いられる紙カートンに関するものである。
【背景技術】
【０００２】
従来、この種の紙カートンとして、天面パネルを大きく開封して中身を取り出すトップオープン型の紙カートンが知られている。その中でも代表的なものとしては、天面パネルから延設したフラップパネルを前面パネルと貼着し、内容物を収納した後、折込みフラップとサイドパネルを貼着することにより形成される紙カートンであって、開封時には、フラップパネルの一部からなる摘み部を引っ張り、破断線に沿ってフラップパネルと天面パネルを破断することにより２筋の破断線に囲まれた開閉部分を摘み上げ、天面パネルの中央部を大きく開放して内容物を取り出すように、また、一旦開けた開閉部分は、リクローズするにあたって摘み部分を前面パネルの切込みに差し込んで閉じることにより、自然に開閉部分が開くことを防ぐように構成されたものが広く利用されている。
【０００３】
【特許文献１】特開平９−１９３９２６号公報
【特許文献２】特開平１１−３１０２２６号公報
【発明の開示】
【発明が解決しようとする課題】
【０００４】
上記したトップオープン型の紙カートンは、フラップパネルの一部からなる摘み部を引っ張り上げることで、天面パネルの２筋の破断線に沿って開閉部分を形成し、天面パネルの中央部を大きく開放して内容物を取り出すようになっている。しかしながら、天面パネルの２筋の破断線は左右の辺より内側に形成されており、開閉部分はその両サイドに天面パネルの一部を残した状態で形成される。このため、小さな薬局でその都度必要な分だけ取り出すという場合は、両サイドに天面パネルの残った部分が在っても大して問題にはならないが、大きな薬局で中の個包装の袋を一気に移し替えるような場合には、この天面パネルの残った部分が邪魔になって容易に取り出すことができない。
【０００５】
本発明は、このような問題点に鑑みてなされたものであり、その目的とするところは、天面パネルを開封して中身を取り出すトップオープン型の紙カートンであって、一度に全量を取り出す場合と一部を残して必要な分だけを取り出す場合との使い分けができる紙カートンを提供することにある。
【課題を解決するための手段】
【０００６】
上記の目的を達成するため、本発明の紙カートンは、天面パネルから延設したフラップパネルを前面パネルと貼着し、内容物を収納後、前面パネル及び後面パネルにそれぞれ連設する各折込みフラップと天面パネル及び底面パネルにそれぞれ連設する各サイドパネルとを貼着することにより箱状に組み立てられ、天面パネル及びフラップパネルには連続する複数の切れ刃からなる開封用の２筋の破断線が設けられ、フラップパネルの端部にはその２筋の破断線により開封部を形成し得るように摘み部を形成してなる紙カートンにおいて、後面パネルに天面パネルの２筋の破断線にそれぞれ連続して２筋の破断線を底面パネルとのコーナーに至るまで設けたことを特徴としている。
【０００７】
そして、上記構成の紙カートンにおいて、後面パネルの破断線を上半の２筋の破断線と下半の２筋の破断線とで構成し、上半の２筋の破断線は、天面パネルから底面パネルに向かって狭まる向きで後面パネルの中程に至るまで形成し、下半の２筋の破断線は、上半の２筋の破断線にそれぞれ屈曲状態で連続してそれぞれコーナーに向かって広がる方向で形成することが好ましく、さらには、上半の２筋の破断線と下半の２筋の破断線の屈曲点同士を結ぶようにして後面パネルの中程を横断する位置に折曲げ用の折線を形成することが好ましい。
【発明の効果】
【０００８】
本発明の紙カートンは、後面パネルに天面パネルの２筋の破断線にそれぞれ連続して２筋の破断線を底面パネルとのコーナーに至るまで設けたので、一部を残して必要な分だけ取り出す時には、天面パネルの２筋の破断線を破断して上部に取出し口を形成し、そこから取り出すことにより、リクローズもできる状態で使用することができ、一度に全量を取り出す時には、後面パネルの２筋の破断線を底面パネルのところまで破断して容易に取り出せることから、一度に全量を取り出す場合と一部を残して必要な分だけを取り出す場合との使い分けができる。
【０００９】
そして、後面パネルの破断線を上半の２筋の破断線と下半の２筋の破断線とで構成し、上半の２筋の破断線は、天面パネルから底面パネルに向かって狭まる向きで後面パネルの中程に至るまで形成し、下半の２筋の破断線は、上半の２筋の破断線にそれぞれ屈曲状態で連続してそれぞれコーナーに向かって広がる方向で形成することにより、使用者が後面パネルを一気に開封しきることがなく、途中まで開封する場合と全体を開封する場合を選択することができるので、内容物の取出しの用途に合わせて開封することができる。
【００１０】
さらに、上半の２筋の破断線と下半の２筋の破断線の屈曲点同士を結ぶようにして後面パネルの中程を横断する位置に折曲げ用の折線を形成することにより、後面パネルを途中まで開封する操作を容易に行うことができる。
【発明を実施するための最良の形態】
【００１１】
次に、本発明の実施の形態について図面を参照しながら詳細に説明する。
【００１２】
図１は本発明に係る紙カートンの一例を示す斜視図、図２は図１の紙カートンを背後から見た状態で示す斜視図、図３は図１，２に示す紙カートンを組み立てるブランクの展開図である。
【００１３】
図３に示すブランクは、紙器用の板紙を打ち抜いて形成されたもので、図示のように、折線ａ，ｂ，ｃ，ｄを介して前面パネル１１、底面パネル１２、後面パネル１３、天面パネル１４、フラップパネル１５が順次連設されている。そして、前面パネル１１の左右辺には折線ｅ，ｆを介してそれぞれ折込みフラップ１６が連設され、底面パネル１２の左右辺には折線ｇ，ｈを介してそれぞれ底面側のサイドパネル１７が連設され、後面パネル１３の左右辺には折線ｉ，ｊを介してそれぞれ折込みフラップ１８が連設され、天面パネル１４の左右辺には折線ｋ，ｌを介してそれぞれ天面側のサイドパネル１９が連設されている。
【００１４】
フラップパネル１５には、先端縁の中央に摘み片１５ａが形成され、その摘み片１５ａの根元両側から末広がり状に延びる開封用の２筋の破断線Ｌ1 が形成されており、天面パネル１４にはフラップパネル１５の２筋の破断線Ｌ1 にそれぞれ連続して同じく開封用の２筋の破断線Ｌ2 が前面パネル側から後面パネル側に向かって狭まる向きで後面パネル１３に至るまで形成されている。
【００１５】
これらの破断線Ｌ1 ，Ｌ2 は連続する複数の切れ刃からなり、フラップパネル１５における２筋の破断線Ｌ1 は、開封時に広がるように進んで破断されるため、図示のように、破断進行方向で見て後側が内向きに折れ曲がった形状の切れ刃が連続しており、天面パネル１４における２筋の破断線Ｌ2 は、開封時に狭まるように進んで破断されるため、破断進行方向で見て後側が外向きに曲がった形状の切れ刃が連続している。
【００１６】
また、後面パネル１３には、天面パネル１４の２筋の破断線Ｌ2 にそれぞれ連続して２筋の破断線Ｌ3 が破断線Ｌ2 より僅かに内側に狭まる向きで当該パネルの中程に至るまで形成されており、その２筋の破断線Ｌ3 にそれぞれ屈曲状態で連続するようにして２筋の破断線Ｌ4 がそれぞれコーナーに向かって広がる方向で形成されている。そして、破断線Ｌ3 と破断線Ｌ4 の屈曲点を結ぶようにして後面パネル１３の中程を横断する折線ｍが形成されている。この折線ｍは折曲げ用であり、押罫でもミシン目でも構わない。
【００１７】
これらの破断線Ｌ3 ，Ｌ4 も連続する複数の切れ刃からなり、天面パネル側にある上半の２筋の破断線Ｌ3 は、狭まるように進んで破断されるため、図示のように、破断進行方向で見て後側が外向きに曲がった形状の切れ刃が連続しており、底面パネル側にある下半の２筋の破断線Ｌ4 は、広がるように進んで破断されるため、破断進行方向で見て後側が内向きに曲がった形状の切れ刃が連続している。
【００１８】
フラップパネル１５の摘み片１５ａは、根元で折曲げ可能で、その根元の中程に半円状の切れ線αが突出形成されている。そして、前面パネル１１には、フラップパネル１５の摘み片１５ａに対応する位置に「山」状のスリット１１ａが設けられており、摘み片１５ａが根元で折れ曲がった時に切れ線αにより形成される凸部がスリット１１ａに係止できるようになっている。
【００１９】
また、折込みフラップ１６，１８の表面、底面側のサイドパネル１７の表面には、接着剤による接着を良くするため、図示の如く複数の半切れ罫線が設けられている。
【００２０】
図３のブランクは、フラップパネル１５の裏側を前面パネル１１の表側に貼り合わせたサック貼り状態で折り畳まれる。この時、開封部分を除いた部分、すなわち破断線Ｌ1 より外側で且つ摘み片１５ａを除いた領域で糊付けする。そして、この折り畳んだブランクから紙カートンを組み立てるには、まず、折り畳んだブランクを角筒状に起こした後、一方の端面側で、折込みフラップ１６，１８をそれぞれ内側に折り曲げてから、底面側端面パネル１７と上面側端面パネル１９を順次折り曲げて貼り合わせる。次いで、他方の端面側から内容物を投入してから、他方の端面側も同様に閉じる。このようにして図１，２に示す紙カートンが作製される。
【００２１】
この紙カートンを開封するに際しては、フラップパネル１５の摘み片１５ａを引っ張ることでフラップパネル１５の２筋の破断線Ｌ1 を破断し、そのまま引っ張ることで天面パネル１４の２筋の破断線Ｌ2 をそれぞれ破断線Ｌ1 に連続して破断し、図４に示すように、上部に取出し口を形成する。そして、その取出し口から内容物を取り出す。なお、図４〜６では内容物を省略して図示している。
【００２２】
この開封時において、フラップパネル１５では、破断線Ｌ1 が広がるようにテーパーが付いているが、各切れ刃は破断進行方向で見て後側が内向きに曲がっているので、紙の剥離を起こすことなく破断することができる。そして、天面パネル１４では、破断線Ｌ2 が狭まるようにテーパーが付いており、しかも各切れ刃は破断進行方向で見て後側が外向きに曲がっているので、紙の剥離を起こすことなく破断することができ、破断した後の開口部の縁には小さな切欠が連続して発生するものの、紙の千切れた部分は破断線の誘導基準となる線の外側の奥まった部分に残っており、破断線の基準線となる部分がガードになることから、内容物を取り出そうと手を差し込んだ際に開口の縁に当たっても直接手が引っ掛かるようなことはない。
【００２３】
このように開封した後、開けた部分を元に戻し、摘み片１５ａの根元にある半円状の切れ線αにより形成される凸部を前面パネル１１のスリット１１ａに差し込んで係止することにより、蓋をすることができる。
【００２４】
また、この紙カートンは、図４に示す開封状態から、摘み片１５ａ或いはフラップパネル１５の開封部分を把持して後側に引っ張ることで後面パネル１３の２筋の破断線Ｌ3 をそれぞれ破断線Ｌ2 に連続して折線ｍのところまで破断することができ、このように後面パネル１３の上半を開けることにより、図５に示す如く、箱の形態を保ちながら、広く開封して内容物の取出しを容易にすることができる。したがって、内容物を小出しするような場合には、この図５に示す状態まで開封することにより、図４に示す開封状態の場合よりも取り出しやすくなる。
【００２５】
後面パネル１３における２筋の破断線Ｌ3 はそれぞれ屈曲状態で破断線4 と連続している。したがって、摘み片１５ａ或いはフラップパネル１５の開封部分を把持して後側に引っ張ってこの２筋の破断線Ｌ3 を破断しても、それに続く破断線Ｌ4 は屈曲点のところで向きが大きく変わるため、破断線Ｌ4 の手前で破断が止まり、破断された後面パネル１３の上半部分は折線ｍのところで外側に折り曲げることができる。
【００２６】
この後面パネル１３における上半の破断線Ｌ3 は、天面パネル１４の破断線Ｌ2 と同様、内側に狭まる向きでテーパーが付いており、しかも各切れ刃は破断進行方向で見て後側が外向きに曲がっているので、紙の剥離を起こすことなく破断することができ、破断した後の端縁には小さな切欠が連続してできるだけで、紙が突き出て残るようなことはないので、内容物の取出し時にこの後面パネル１３の開けた部分の端縁に手が当たっても引っ掛かることはない。
【００２７】
さらに、この紙カートンは、図５に示す開封状態から、後面パネル１３の残った下半部分を後側に引っ張ることで後面パネル１３の２筋の破断線Ｌ4 をそれぞれ破断線Ｌ3 に連続してコーナーのところまで破断することができ、このように後面パネル１３の下半部分を開けることにより、図６に示す如く、さらに大きく開封することができる。したがって、内容物を全量取り出す時には、この図６に示す状態まで開封することで、簡単に取り出すことができる。
【００２８】
この後面パネル１３における下半の破断線Ｌ4 は、外側に広がる向きでテーパーが付いており、各切れ刃は破断進行方向で見て後側が内向きに曲がっているので、紙の剥離を起こすことなく破断することができる。ただ、上半の破断線Ｌ3 と違って端縁には鋸刃状に紙が突き出て残るが、内容物を取り出す時にはこの部分に手が当たることは殆どない。
【００２９】
本発明の紙カートンは、医療用の薬の小袋をメインとして、各種の医療用品を複数個並べた状態で収納する用途が好適であるが、その他のものを収納する用途であっても構わない。
【００３０】
以上、本発明の実施の形態について詳細に説明してきたが、本発明による紙カートンは、上記実施の形態に何ら限定されるものではなく、本発明の趣旨を逸脱しない範囲において種々の変更が可能であることは当然のことである。
【図面の簡単な説明】
【００３１】
【図１】本発明に係る紙カートンの一例を示す斜視図である。
【図２】図１の紙カートンを背後から見た状態で示す斜視図である。
【図３】図１，２に示す紙カートンを組み立てるブランクの展開図である。
【図４】図１の紙カートンを開封した状態で示す斜視図である。
【図５】図４に示す状態からさらに開いた状態で示す斜視図である。
【図６】図５に示す状態からさらに開いた状態で示す斜視図である。
【符号の説明】
【００３２】
１１  前面パネル
１１ａ  スリット
１２  底面パネル
１３  後面パネル
１４  天面パネル
１５  フラップパネル
１５ａ  摘み片
１６  折込みフラップ
１７  サイドパネル
１８  折込みフラップ
１９  サイドパネル
Ｌ1 〜Ｌ4   破断線
ａ〜ｍ  折線
α  切れ線
【図１】
2008290749.tif 000003
【図２】
2008290749.tif 000004
【図３】
2008290749.tif 000005
【図４】
2008290749.tif 000006
【図５】
2008290749.tif 000007
【図６】
2008290749.tif 000008